(57)【要約】【課題】  カバー取り付けにともなう走査線位置ずれを抑制し、色ずれを抑えて画質を向上させる。また、外側から識別を可能にして走査光学装置の選択を容易にする。【解決手段】  光ビームを発する光源と、光ビームを結像させる光学素子と、光学素子を収容する光学箱と、光学素子を含む内部空間を覆うカバーを含む走査光学装置において、光学素子がカバーから突出する凸部を有している。また、凸部に識別記号が記されていて、識別記号をカバー開口から露出させる。【選択図】  図１
2008145954.tif 000002
【特許請求の範囲】
【請求項１】
光ビームを発する光源と、光ビームを結像させる光学素子と、光学素子を収容する光学箱と、光学素子を含む内部空間を覆うカバーを含む走査光学装置において、光学素子がカバーから突出する凸部を有していることを特徴とする走査光学装置。
【請求項２】
光学素子の凸部において、保持平面、あるいは位置決め孔が形成されていることを特徴とする請求項１記載の走査光学装置。
【請求項３】
光学素子の凸部に識別記号が記されていて、識別記号をカバー開口から露出させることを特徴とする請求項１記載の走査光学装置。
【請求項４】
凸部を有する光学素子が、光学特性を主に決定付ける光学素子であることを特徴とする請求項１から３記載の走査光学装置。
【請求項５】
請求項１から４記載の走査光学装置を複数搭載することを特徴とする画像形成装置。
【発明の詳細な説明】
【技術分野】
【０００１】
本発明はレーザービームプリンターやデジタル複写機等の画像形成装置、およびそれに搭載される走査光学装置に関するものである。
【背景技術】
【０００２】
レーザービームプリンターやデジタル複写機等の画像形成装置は、カラー化と高速化にともない各色に対応するプロセスユニットを並べたタンデム方式が考案されていて、例えば特開平１０−１８６２５４や特開２００３−２０７７３４等に示されている。
【０００３】
また、レーザービームプリンターやデジタル複写機等の画像形成装置に用いられる走査光学装置は一般的には図６に示す模式図のように、半導体レーザーやコリメーターレンズ等をホルダーに組み付けてユニット化した光源ユニット１０２、光源ユニットから発せられた光ビームを偏向走査平面と垂直な副走査方向について集光し、ポリゴンミラー上で結像させるシリンドリカルレンズ１０３、光源ユニットから発せられた光ビームを偏向走査するポリゴンミラー１０４ａを組み込んだ偏向走査ユニット１０４、偏向走査された光ビームを感光体ドラム５０１の表面に結像させ、また感光体ドラム表面での光ビームの走査速度を一定にするための走査レンズ１０５、１０６、光ビームを検出し同期信号を発するための光検出センサー１０７、光ビームを光検出センサーに導くための反射ミラー１０８等を有し、シリンドリカルレンズや偏向走査ユニットや走査レンズや折り返しミラーや反射ミラーは枠体であるところの光学箱１０１の内部に組み付けされ、ビスあるいはそれ以外の部品固定手段によって係止される。
【０００４】
偏向走査ユニットで走査される光ビームは、出射口１０９から感光体ドラムに向けて照射される。走査レンズと感光体ドラムの間に反射ミラーを配置して、光ビームを折り返す場合もある。
【０００５】
光学箱の上側開口は光学箱内部に必要部品を全て組み込んだ後、図示しないカバーによって閉じられる。
【０００６】
また走査光学装置は光学箱の取り付け部１０１ａにおいて、画像形成装置のステイに対してビス固定される。
【０００７】
部品を組み付ける光学箱は、コストダウンの要求から低価格材料を、またリサイクル性を考慮して低フィラー材料を使用するようになりつつある。
【０００８】
レンズは透明なプラスチック材料を成型して作られる、いわゆるプラレンズがコスト面から有利であり、主流になっている。
【０００９】
また、レンズは成形キャビ等によるばらつきがあり、それらを組み込んだ走査光学装置による走査線は感光体ドラム表面において例えば図７のようになる。理想の走査線位置（Ｌ０）に対して正の曲りを持った走査光学装置による走査線Ｌ１と、負の曲りを持った走査光学装置による走査線Ｌ２とがあるとき、相対位置が大きくずれるとカラー画像形成装置の出力画像では色ずれとなり、画質が劣化することにつながる。
【００１０】
走査光学装置は画像形成装置に搭載したときの色ずれを許容範囲に収めるため、感光体ドラム表面における走査線の位置を合わせる調整を行う。走査線の位置を合わせるために走査レンズを調整することは特開２００３−２２２８１４において述べられている。また、特開２００３−１７７３４４では走査線のずれを軽減するために、走査レンズにかかるストレスを減少させる工夫を述べている。
【００１１】
さらに、画像形成装置に搭載した際の走査線相互差を抑制するために、走査線の曲りや傾きなど、特性の合った走査光学装置を選別して組合せることがある。１台の画像形成装置には似た特性を持つ複数の走査光学装置を搭載し、走査線の相対ずれを軽減して色ずれによる画質劣化を防止する。
【００１２】
特性を表す方法としては、走査光学装置の外表面にラベルを貼り付ける方法が一般的である。
【００１３】
また、レンズにはキャビ刻印がなされているので、これを直接読み取る方法も考えられ、その場合はラベルが不要となり、コストの増加をなくせるメリットがある。
【００１４】
内部にあるレンズの様子を視認するためにはカバー等に開口穴を設けることが考えられ、例えば特開２００１−２２１９７１では開口穴から内部部品の有無を視認することが示されている。
【００１５】
また、視認窓を空間的に開放しないように、透明樹脂を通して内部を見ることが特開平１１−１９０８２４に示されている。
【特許文献１】特開平１０−１８６２５４号公報
【特許文献２】特開２００３−２０７７３４号公報
【特許文献３】特開２００３−２２２８１４号公報
【特許文献４】特開２００３−１７７３４４号公報
【特許文献５】特開２００１−２２１９７１号公報
【特許文献６】特開平１１−１９０８２４号公報
【発明の開示】
【発明が解決しようとする課題】
【００１６】
しかしながら、低価格でフィラー含有率が少ない材料を用いるとき光学箱の強度が従来より低下し、カバー部品を取り付けるとカバー部品の剛性の影響を受けて光学箱に歪が生ずる。調整の後でカバーを取り付けると光学配置が変化して走査線の位置にずれが発生する問題がある。
【００１７】
また、カバーに穴を設けて開口穴からレンズのキャビ等の情報を得るためには、内部が暗くレンズ表面に記される記号は識別困難となる問題がある。また、視認性を改善するために開口穴を大きくすると塵埃の進入が増大する問題がある。
【００１８】
また、透明樹脂を通して内部を見る場合は、ガラスのように透過率が高くないため、透明材料を用いたレンズの表面に記された刻印記号を樹脂越しに読み取るのは容易ではない。
【００１９】
本発明の目的は、以上のような課題に対処するため、カラー画像形成装置に搭載する走査光学装置において、カバー取り付けにともなう走査線位置ずれを抑制し、色ずれを抑えて画質を向上させることである。
【００２０】
また、外側から識別を可能にして、特性の合う複数の走査光学装置を揃えて出荷したり、１台の画像形成装置に搭載するのを容易にすることである。
【００２１】
また、識別にかかる部品コストを抑制することである。
【課題を解決するための手段】
【００２２】
上記目的を達成するため、本出願に係る発明は、
光ビームを発する光源と、光ビームを結像させる光学素子と、光学素子を収容する光学箱と、光学素子を含む内部空間を覆うカバーを含む走査光学装置において、光学素子がカバーから突出する凸部を有していることを特徴とする。
【００２３】
また、光学素子の凸部において、保持平面、あるいは位置決め孔が形成されていることを特徴とする。
【００２４】
また、光学素子の凸部に識別記号が記されていて、識別記号をカバー開口から露出させることを特徴とする。
【００２５】
また、凸部を有する光学素子が、光学特性を主に決定付ける光学素子であることを特徴とする。
【００２６】
さらに、画像形成装置が上記の走査光学装置を複数搭載することを特徴とする。
【発明の効果】
【００２７】
以上説明したように、本発明によれば、レンズ上面方向の突起部をカバーから突出させ、突出した部分を外部から把持できるので、カバーを取り付けた状態でレンズ調整が可能となり、調整後の走査線位置変動を抑制できて、画質を向上できる効果がある。
【００２８】
また、レンズの情報を記した突起部をカバーから露出させることで識別が容易となる効果があり、識別部が走査光学装置の上側にあることで、画像形成装置に取り付けられた状態でも識別が可能であることから、ユニット交換等のサービス時においても特性が合う走査光学装置を選択供給することが容易になる効果がある。
【００２９】
また、情報を表示するラベル等の別部材を必要としないことから、コストを抑制できる効果がある。
【発明を実施するための最良の形態】
【００３０】
（実施例１）
図１および図２は本発明の第一の実施例を示す走査光学装置および走査レンズの図である。
【００３１】
図１は走査光学装置の外観図であり、カバーを取り付けた状態である。１は光学箱、２は光源ユニット、３はカバー、４は偏向走査ユニット、５は第１の走査レンズ、６は第２の走査レンズである。カバーに開口穴（３ａ、３ｂ）や照射窓（３ｃ）を設けている。
【００３２】
走査レンズ６は上面に突起部（６ａ、６ｂ）を持ち、カバーの開口穴（３ａ、３ｂ）から突出している。
【００３３】
カバーには、レーザー警告ラベル７が貼られている。
【００３４】
図２は走査レンズ６の図である。６１は光ビームが通過するレンズ面である。レンズ面の周囲には、レンズ面を保護するためにフランジ６２がある。６３ａ、６３ｂ、６４ａ、６４ｂは走査レンズを光学箱に高精度に突き当てるための座面である。６５ａと６５ｂは光学箱に係止される部分であり、走査有効範囲の外側に設けられる。
【００３５】
６ａと６ｂは走査レンズ６の上面に設けられた突起であり、レンズ面６１とはほぼ垂直な方向に突出している。また、突起（６ａ、６ｂ）の側面は径寸法や円筒度が精度良く形成されている。また、走査レンズの上面の突起は、走査光学装置に組み込んだときにカバーから突出するだけの段差寸法がある。
【００３６】
図１と図２に示した走査光学装置および走査レンズの組み立て調整においては、次のようにする。すなわち、光学箱の内部の所定位置に走査レンズを倒れないように載置し、光学箱との間に接着剤を注入して、カバーを取り付ける。接着剤は紫外線硬化のＵＶ接着剤を使えば、紫外線照射によって短時間で硬化させることができる。ビス締め等によって光学箱とカバーとを一体化させた後、カバーの開口穴（３ａ、３ｂ）から露出している走査レンズの突起を調整工具でクランプし微細に動かすことによって、走査線の位置を調整する。次に、紫外線照射装置を用いてカバーに設けてある照射窓（３ｃ）から接着箇所に照射し、走査レンズを光学箱に固定する。
【００３７】
紫外線照射のために大きく設けてあるカバーの照射窓は、密閉シール等を特別に追加することなく、標準的に貼り付けるレーザー警告ラベル７によって塞ぐことができる。
【００３８】
突起（６ａ、６ｂ）は長手方向になるべく間隔をとって形成する。そのことで走査線の位置調整のときに微細な調整ができる。
【００３９】
また、突起は円筒形に限られず、図３に示すような様々な形状が考えられる。すなわち（ｂ）のように工具によるクランプを考慮して側面に面取りを施したり、（ｃ）のように突起の中央部分に位置決め孔を設けてもよく、さらには（ｄ）のように矩形でもよい。
【００４０】
このような突起は走査線の曲りや傾きに対して影響の大きい走査レンズに設け、その走査レンズを動かすことで走査線の調整を効果的に行うことができる。走査線の曲りや傾きに対して影響の少ない走査レンズは、光学箱に高精度に形成した座面に突き当て固定するだけでよい。
【００４１】
この例では、第２の走査レンズに突起部を設けた場合を示すが、第１の走査レンズの場合や、その他の光学素子である場合を制限するものではない。
【００４２】
このように、カバーを取り付けた後からでも走査レンズを外部から掴んで動かして走査線調整ができ、走査レンズを取り付けた後でカバー取り付けによる光学箱の歪が生じないので、走査線ずれが発生しない。その結果、画像品質を向上できる効果がある。
【００４３】
（実施例２）
図４は本発明の第二の実施例を示す走査レンズの図である。形状が異なるものの構成は実施例１と同様である。
【００４４】
６ｃは走査レンズの上面に設けた突起であり、レンズ面６１とはほぼ垂直な方向に突出している。また、突起の少なくとも一つの端面には走査レンズのキャビ等の情報を示す記号が描かれている。走査レンズの上面の突起は、走査光学装置に組み込んだときにカバーから露出するだけの段差寸法がある。
【００４５】
図５は、走査光学装置に組み込んだときの、突起部分の図である。
【００４６】
突起６ｃはカバー３の開口穴３ｄに入り込んでいて、露出する突起の端面には走査レンズのキャビ等の情報を表す記号が記されている。金型による刻印でもよく、またはインクを使った印字でもよい。
【００４７】
このような走査レンズを走査光学装置に組み込んだとき、走査レンズの上側突起がフタから露出して記号を直接視認することができる。
【００４８】
このように、カバーを取り付けた後であっても組み込まれた走査レンズの情報が得られるので、外側からの識別が可能となり、走査光学装置を走査レンズの特性ごとに選別するのが容易になる効果がある。
【００４９】
また、走査光学装置の上側、すなわち画像形成装置のステイに取り付けたとき表側にあって視認できるので、画像形成装置のステイに取り付けた後でも識別が可能となり、サービス性を向上できる効果がある。
【００５０】
また、識別のためのラベルを追加する必要がないので、コストを抑制できる効果がある。
【図面の簡単な説明】
【００５１】
【図１】本発明の第一の実施例に係る走査レンズの図
【図２】本発明の第一の実施例に係る走査光学装置の図
【図３】突起の形態を示す図
【図４】本発明の第二の実施例に係る走査レンズの図
【図５】突起の記号表示を示す図
【図６】従来例の走査光学装置を説明する図
【図７】走査線の曲がりを説明する図
【符号の説明】
【００５２】
１  光学箱
１ａ  取り付け部
２  光源ユニット
３  カバー
３ａ、３ｂ、３ｄ  開口穴
３ｃ  照射窓
４  偏向走査ユニット
５、６  走査レンズ
７  レーザー警告ラベル
Ｌ０  走査線の理想位置
Ｌ１  正の曲りの走査線
Ｌ２  負の曲りの走査線
１０１  光学箱
１０１ａ  取り付け部
１０２  光源ユニット
１０３  シリンドリカルレンズ
１０４  偏向走査ユニット
１０５、１０６  走査レンズ
１０７  光検出センサー
１０８  反射ミラー
１０９  出射口
５０１  感光体ドラム
【図１】
2008145954.tif 000003
【図２】
2008145954.tif 000004
【図３】
2008145954.tif 000005
【図４】
2008145954.tif 000006
【図５】
2008145954.tif 000007
【図６】
2008145954.tif 000008
【図７】
2008145954.tif 000009